Podtech/llm-jp-corpus-v4-ja_patent huggingface dataset:
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
血管疾患を治療するシステムであって、
張出した先端部が設けられたカテーテルを備え、前記張出した先端部は、前記張出した先端部の周囲部にまわりに分布して配置された複数の潅注ポートを含んでおり、
前記システムは、さらに、
前記張出した先端部に配置された発光コイルを備え、前記発光コイルは、前記張出した先端部と同軸であり、前記複数の潅注ポートは、前記発光コイルのループとループとの間に間隔を隔てて配置されており、
前記システムは、さらに、
前記張出した先端部より近位で前記カテーテルに配置されている第１膨張可能部材と、
ガイドワイヤと、
前記ガイドワイヤの遠位部に配置されている第２膨張可能部材と、
を備えることを特徴とするシステム。
【請求項２】
前記カテーテルは、膨張管腔と、流体搬送管腔と、ガイドワイヤ管腔とを有していることを特徴とする、請求項１に記載のシステム。
【請求項３】
前記カテーテルは、膨張管腔と、流体搬送・ガイドワイヤ管腔とを有していることを特徴とする、請求項１に記載のシステム。
【請求項４】
前記潅注ポートは、少なくとも１個の流体供給源と流体連絡状態にあることを特徴とする、請求項１に記載のシステム。
【請求項５】
前記流体供給源は光開始剤の供給源であることを特徴とする、請求項４に記載のシステム。
【請求項６】
前記流体供給源はプレポリマーの供給源であることを特徴とする、請求項４に記載のシステム。
【請求項７】
前記流体供給源は洗浄液の供給源であることを特徴とする、請求項４に記載のシステム。
【請求項８】
前記発光コイルは光源に動作可能に接続されていることを特徴とする、請求項１に記載のシステム。
【請求項９】
前記発光コイルは光ファイバーの遠位部の中まで形成されていることを特徴とする、請求項１に記載のシステム。
【請求項１０】
前記ガイドワイヤには膨張管腔が設けられていることを特徴とする、請求項１に記載のシステム。
【請求項１１】
血管疾患を治療するシステムであって、
治療部位よりも近位で血管を閉塞するカテーテル手段と、
治療部位よりも遠位で血管を閉塞するガイドワイヤ手段と、
治療部位に流体を搬送する手段と、
前記カテーテル手段の張出した先端部の遠位の外面に配置された螺旋状経路に沿って治療部位を光に曝す手段とを備え、
前記治療部位に流体を搬送する手段は、前記螺旋状経路に沿って治療部位を光に曝す手段の間に螺旋状に配置されている、
ことを特徴とするシステム。
【請求項１２】
血管疾患を治療するシステムであって、
張出した先端部が設けられたカテーテルを備え、前記張出した先端部は、前記張出した先端部の周囲部にまわりに分布して配置された複数の潅注ポートを含んでおり、
前記システムは、さらに、
前記張出した先端部の外側周囲部の周りに分布して配置された複数の細長い発光部材を備え、前記複数の潅注ポートは、前記複数の細長い発光部材の間に配置されており、
前記システムは、さらに、
前記張出した先端部よりも近位でカテーテルに配置されている第１膨張部材と、
ガイドワイヤと、
前記ガイドワイヤの遠位部に配置されている第２膨張部材と、
を備えることを特徴とするシステム。
【請求項１３】
前記ガイドワイヤには膨張管腔が設けられていることを特徴とする、請求項１２に記載のシステム。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
前立腺の良性前立腺肥大（ＢＰＨ）を治療するためのシステムであって、
患者の前立腺のＢＰＨ組織部位に又はその付近に導入されるように構成された１又はそれ以上の電極と、
前記電極に結合され、前記ＢＰＨ組織部位に細胞のエレクトロポレーションを誘起させ該ＢＰＨ組織部位の細胞壊死を生じさせるのに十分であって該ＢＰＨ組織部位の大部分に熱による損傷効果をもたらすのに不十分な電気パルスを前記電極に印加するように構成された電圧パルス発生器と、
を具備することを特徴とするシステム。
【請求項２】
前記ＢＰＨ組織部位において細胞に供給された試験電圧を測定するように構成されたモニタリング電極をさらに具備する、請求項１に記載のシステム。
【請求項３】
前記電圧パルス発生器が、前記電極を介して前記ＰＢＨ組織部位の細胞に印加するための試験電圧を発生させるように構成される、請求項１に記載のシステム。
【請求項４】
前記１又はそれ以上の電極が、互いに間隔を隔てて電極のアレイを形成する第１の電極、第２の電極及び第３の電極を含む、請求項１に記載のシステム。
【請求項５】
前記１又はそれ以上の電極が双極電極を含む、請求項１に記載のシステム。
【請求項６】
前記エレクトロポレーションがリアルタイム・モニタリングを用いた制御された方法により行われる、請求項１に記載のシステム。
【請求項７】
前記エレクトロポレーションが、周囲の組織を保持しながら、前記ＢＰＨ組織部位の前記細胞において組織効果をもたらす制御された方法により行われる、請求項１に記載のシステム。
【請求項８】
前記エレクトロポレーションが、電圧の大きさ、電圧の印加時間、又は、これら両方を適切に選択することを用いた制御された方法により行われる、請求項１に記載のシステム。
【請求項９】
前記電圧パルス発生器が、各々のパルスが約５マイクロ秒から約６２秒までの持続時間だけ印加されるように構成される、請求項１に記載のシステム。
【請求項１０】
前記電圧パルス発生器が、約１個から１５個までのパルスを印加するように構成される、請求項１に記載のシステム。
【請求項１１】
前記電圧パルス発生器が、約５０ボルト／ｃｍから約８０００ボルト／ｃｍまでの範囲において前記ＢＰＨ組織部位に電圧勾配を生じさせるパルス印加を与えるように構成される、請求項１に記載のシステム。
【請求項１２】
前記ＢＰＨ組織部位において摂氏１００度又はそれより下の温度を維持するように、該ＢＰＨ組織部位の温度がモニタリングされ、前記パルスが調整される、請求項１に記載のシステム。
【請求項１３】
前記ＢＰＨ組織部位において摂氏７５度又はそれより下の温度を維持するように、該ＢＰＨ組織部位の温度がモニタリングされ、前記パルスが調整される、請求項１に記載のシステム。
【請求項１４】
前記ＢＰＨ組織部位において摂氏６０度又はそれより下の温度を維持するように、該ＢＰＨ組織部位の温度がモニタリングされ、前記パルスが調整される、請求項１に記載のシステム。
【請求項１５】
前記温度が摂氏５０度又はそれより下に維持される、請求項１２に記載のシステム。
【請求項１６】
電流対電圧の比が、前記ＢＰＨ組織部位の温度を摂氏１００度又はそれより下に維持するように、温度に基づいて調整される、請求項１に記載のシステム。
【請求項１７】
電流対電圧の比が、前記ＢＰＨ組織部位の温度を摂氏７５度又はそれより下に維持するように、温度に基づいて調整される、請求項１に記載のシステム。
【請求項１８】
電流対電圧の比が、前記ＢＰＨ組織部位の温度を摂氏６０度又はそれより下に維持するように、温度に基づいて調整される、請求項１に記載のシステム。
【請求項１９】
電流対電圧の比が、前記ＢＰＨ組織部位の温度を摂氏５０度又はそれより下に維持するように、温度に基づいて調整される、請求項１に記載のシステム。
【請求項２０】
前記電圧パルス発生器が、前記ＢＰＨ組織部位における細胞の細胞膜を恒久的に破壊するのに十分な持続時間及び大きさのパルス印加を与えるように構成される、請求項１に記載のシステム。
【請求項２１】
前記細胞にわたる電圧に対する、前記ＢＰＨ組織部位における細胞を通る電流の比が検出され、該ＢＰＨ組織部位に対する印加電圧の大きさが前記電圧に対する電流の比の変化に従って調整される、請求項１に記載のシステム。
【請求項２２】
前記１又はそれ以上の電極が組織を貫通する電極である、請求項１に記載のシステム。
【請求項２３】
前記モニタリング電極は、前記１又はそれ以上の電極が配置されたシースの上に搭載される、請求項２に記載のシステム。
【請求項２４】
前記モニタリング電極が、前記１又はそれ以上の電極に結合された生検ガイドに配置されるように構成される、請求項２に記載のシステム。
【請求項２５】
前記１又はそれ以上の電極が前記生検ガイドを介して配置されるように構成される、請求項２４に記載のシステム。
【請求項２６】
前記モニタリング電極は、前記生検ガイドの先端に配置されるように構成され、前記１又はそれ以上の電極が配置されたときに直腸の粘膜に当接する、請求項２５に記載のシステム。
【請求項２７】
前記１又はそれ以上の電極が患者の腹膜を通して導入されるように構成される、請求項１に記載のシステム。
【請求項２８】
前記電極に結合され選択されたスイッチングパターンにより前記電気パルスを印加するように構成されたスイッチング装置をさらに具備する、請求項１に記載のシステム。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
容器蓋及び容器ベースを備える通気可能な容器であって、
前記容器蓋は中央パネル及び該中央パネルを包囲する周辺の第１閉止部を含み、該第１閉止部は第１シール面を有し、
前記容器ベースは底、該底から伸張する周辺側壁、開放された上面、及び第２シール面を有する第２閉止部を含み、該第２閉止部は前記第１閉止部と係合可能であり、それぞれのシール面がシール接触され漏れのない保存領域が形成され、
前記第１閉止部はさらに、第１位置と第２位置との間を移動可能な第１通気ボタンを含み、第１及び第２閉止部の係合と同時に前記第１通気ボタンが第１位置にあるときそれぞれのシール面がシール接触されたままであり、前記第１通気ボタンが第２位置にあるとき所望の量の通気を与えるべく前記第１通気ボタンの付近の第２シール面に対して前記第１シール面がある量だけ変位し、
前記第１閉止部は略逆U字形状の断面を有するシールリップからなり、第２閉止部がその内部に受容されて蓋チャネルが形成される、
ことを特徴とする通気可能な容器。
【請求項２】
前記容器蓋は少なくとも一つのグリップタブを含み、前記第１通気ボタンは前記グリップタブに近接して配置される、ことを特徴とする請求項１記載の容器。
【請求項３】
前記容器蓋は熱成形されたプラスチックから成る、ことを特徴とする請求項１記載の容器。
【請求項４】
前記容器蓋は射出成形されたプラスチックから成る、ことを特徴とする請求項１記載の容器。
【請求項５】
容器蓋及び容器ベースを備える通気可能な容器であって、
前記容器蓋は中央パネル及び該中央パネルを包囲する周辺の第１閉止部を含み、該第１閉止部は第１シール面を有し、
前記容器ベースは底、該底から伸張する周辺側壁、開放された上面、及び第２シール面を有する第２閉止部を含み、該第２閉止部は前記第１閉止部と係合可能であり、それぞれのシール面がシール接触されてリークプルーフの保存領域が形成され、
前記第１閉止部はさらに、第１位置と第２位置との間を移動可能な第１通気ボタンを含み、第１及び第２閉止部の係合と同時に前記第１通気ボタンが第１位置にあるときそれぞれのシール面がシール接触されたままであり、前記第１通気ボタンが第２位置にあるとき所望の量の通気を与えるべく前記第１通気ボタンの付近の第２シール面に対して前記第１シール面がある量だけ変位し、
前記第１通気ボタンは前記蓋チャネルの面と一体として形成され、隆起部を包囲する縁部を含むめくり返し可能なドームからなり、前記隆起部は前記縁部により形成される平面から突出しており、前記隆起部はさらに該隆起部の最外突出部を形成する頂点を含み、前記頂点は、前記第１通気ボタンが第２位置に移動するとき、前記第２閉止部の面と接触するよう適応される、
ことを特徴とする通気可能な容器。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
再狭窄を減少させるためのシステムであって、
再狭窄部位において配置され膨らまされるように構成された膨張性バルーンと、該膨張性バルーンに配置された１又はそれ以上の電極と、を含むカテーテル装置と、
前記電極に結合され、前記再狭窄部位における細胞の不可逆的エレクトロポレーションをもたらすのに十分な量であって該再狭窄部位に熱による損傷を生じさせるのに不十分な量により電気パルスを前記再狭窄部位に印加するように構成された電圧パルス発生器と、
を具備することを特徴とするシステム。
【請求項２】
前記再狭窄部位において細胞に供給された試験電圧を測定するように構成されたモニタリング電極をさらに具備する、請求項１に記載のシステム。
【請求項３】
前記電圧パルス発生器が、前記電極を介して前記再狭窄部位における前記細胞に印加するための試験電圧を発生させるように構成されている、請求項１に記載のシステム。
【請求項４】
前記電極が、少なくとも部分的に前記バルーンの周りに延びるバンド電極を含む、請求項１に記載のシステム。
【請求項５】
前記再狭窄部位の長さに沿ってエレクトロポレーションをもたらすように十分なバンド電極が与えられる、請求項４に記載のシステム。
【請求項６】
前記１又はそれ以上の電極が、互いに距離を隔てて電極のアレイを形成する、第１の電極、第２の電極及び第３の電極を含む、請求項１に記載のシステム。
【請求項７】
前記１又はそれ以上の電極が双極電極を含む、請求項１に記載のシステム。
【請求項８】
前記エレクトロポレーションが、リアルタイム・モニタリングを用いた制御された方法により行われる、請求項１に記載のシステム。
【請求項９】
前記エレクトロポレーションが、周囲の組織を保持しながら、前記再狭窄部位における細胞の組織効果をもたらすように制御された方法により行われる、請求項１に記載のシステム。
【請求項１０】
前記エレクトロポレーションが、電気インピーダンスのモニタリングを用いた制御された方法により行われる、請求項１に記載のシステム。
【請求項１１】
前記エレクトロポレーションが、電圧の大きさ、電圧の印加時間、又は、これら両方を適切に選択した制御された方法により行われる、請求項１に記載のシステム。
【請求項１２】
前記電圧パルス発生器は、各々のパルスが約５マイクロ秒から約１００マイクロ秒までの持続時間だけ印加されるように構成される、請求項１に記載のシステム。
【請求項１３】
前記電圧パルス発生器が約１個から１５個までのパルスを印加するように構成される、請求項１に記載のシステム。
【請求項１４】
前記電圧パルス発生器は、約５０ボルト／ｃｍから約８０００ボルト／ｃｍまでの範囲において前記再狭窄組織部位に電圧勾配を生じさせるパルス印加を与えるように構成される、請求項１に記載のシステム。
【請求項１５】
前記再狭窄組織部位において摂氏１００度又はそれより下の温度を維持するように、該再狭窄組織部位の温度がモニタリングされ、前記パルスが調整される、請求項１に記載のシステム。
【請求項１６】
前記再狭窄組織部位において摂氏７５度又はそれより下の温度を維持するように、該再狭窄組織部位の温度がモニタリングされ、前記パルスが調整される、請求項１に記載のシステム。
【請求項１７】
前記再狭窄組織部位において摂氏６０度又はそれより下の温度を維持するように、該再狭窄組織部位の温度がモニタリングされ、前記パルスが調整される、請求項１に記載のシステム。
【請求項１８】
前記温度が摂氏５０度又はそれより下に維持される、請求項１５に記載のシステム。
【請求項１９】
電流対電圧の比が、前記再狭窄組織部位の温度を摂氏１００度又はそれより下に維持するように、温度に基づいて調整される、請求項１に記載のシステム。
【請求項２０】
電流対電圧の比が、前記再狭窄組織部位の温度を摂氏７５度又はそれより下に維持するように、温度に基づいて調整される、請求項１に記載のシステム。
【請求項２１】
電流対電圧の比が、前記再狭窄組織部位の温度を摂氏６０度又はそれより下に維持するように、温度に基づいて調整される、請求項１に記載のシステム。
【請求項２２】
電流対電圧の比が、前記再狭窄組織部位の温度を摂氏５０度又はそれより下に維持するように、温度に基づいて調整される、請求項１に記載のシステム。
【請求項２３】
前記電圧パルス発生器が、前記再狭窄組織部位における細胞の細胞膜を恒久的に破壊するのに十分な持続時間及び大きさのパルス印加を与えるように構成される、請求項１に記載のシステム。
【請求項２４】
前記細胞にわたる電圧に対する、前記再狭窄組織部位における細胞を通る電流の比が検出され、該再狭窄組織部位に対する印加電圧の大きさが、前記電圧に対する電流の比の変化に従って調整される、請求項１に記載のシステム。
【請求項２５】
前記電極に結合され選択されたスイッチングパターンにより前記電気パルスを印加するように構成されたスイッチング装置をさらに具備する、請求項１に記載のシステム。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
賭け金を受け入れ、該賭け金に基づいてゲームをプレーすると共に該ゲームの結果に基づいて金銭的な払出しを認可するゲームシステムであって、
関連するハンドヘルド（把手型）個人ゲーム装置でプレーされる特定数の賭け金ベースのゲームに関する入力を受け入れ、該特定数の賭け金ベースの各ゲームの事前に決定されるゲーム結果に関するデータを有するゲームシードを生成し、且つ、前記特定数の賭け金ベースの各ゲームの前記ゲームシードを、前記個人ゲーム装置が将来にゲームプレーする際に使用する記憶装置に送信するように構成されるゲームサーバであって、前記賭け金ベースのゲームは、賭け金を出し、該賭け金に基づいてゲームをプレーし、及び前記ゲームの結果に基づいて払出しを認可するよう構成されている、ゲームサーバと、
前記ゲームサーバと通信し、前記認可された所定の各ゲーム結果に関連する金融データを追跡するように構成される金融サーバと、
前記ゲームサーバと通信し、仮想繋がりである仮想リーシュを前記個人ゲーム装置との間に確立するように構成される認証サーバであって、前記仮想リーシュは、前記個人ゲーム装置のユーザ、該個人ゲーム装置の場所、該個人ゲーム装置自体、該個人ゲーム装置に記憶されているソフトウェア、又はこれらの任意の組み合わせを認証又は確認するよう構成されている、認証サーバと、
ゲーム関連情報を表示するディスプレイ、ゲーム関連コードを実行するプロセッサ、及び該プロセッサが実行するコンピュータコードの少なくとも１つのダウンロードコマンドを含むメモリを備えるハンドヘルド個人ゲーム装置と
を備え、
前記コンピュータコードの少なくとも１つのダウンロードコマンドは、前記ハンドヘルド個人ゲーム装置が前記ゲームシードの１つに基づいて独立してゲームプレーを処理すると共に前記ディスプレイに表示するのに十分なコードを含み、前記個人ゲーム装置は、前記ゲームサーバ及び前記認証サーバの両方と通信するように構成されている
ことを特徴とするゲームシステム。
【請求項２】
請求項１記載のゲームシステムにおいて、該システムは、
前記ゲームシードを記憶するポータブルメモリ装置をさらに備え、該ポータブルメモリ装置は、前記個人ゲーム装置から着脱されるようになっている
ことを特徴とするゲームシステム。
【請求項３】
請求項１又は２記載のゲームシステムにおいて、前記金融サーバはさらに、前記特定数のゲームのそれぞれの前記所定のゲーム結果に関する情報を前記ゲームサーバから受け入れるよう構成されており、前記受け入れた情報を、前記個人ゲーム装置での前記将来のゲームプレーからの実際の結果と照合確認するようにさらに構成されていることを特徴とするゲームシステム。
【請求項４】
請求項１−３いずれかに記載のゲームシステムにおいて、前記仮想リーシュは、少なくとも部分的に、前記ユーザのＰＩＮ、パスワード、指紋、声紋、網膜スキャン、写真、又はデジタル署名のうちの少なくとも１つを受け入れることにより確立されることを特徴とするゲームシステム。
【請求項５】
請求項１−９いずれに記載のゲームシステムにおいて、前記仮想リーシュは、少なくとも部分的に、前記個人ゲーム装置のＲＦＩＤタグ、ドングル、トランザクション証明、又は場所特定機能のうちの少なくとも１つからデータを受け入れることにより確立されることを特徴とするゲームシステム。
【請求項６】
請求項１−５いずれかに記載のゲームシステムにおいて、該システムは、前記個人ゲーム装置とインタフェースするように構成される少なくとも１つのドッキングステーションをさらに備え、前記ゲームシードは、該少なくとも１つのドッキングステーションを介して前記個人ゲーム装置に送信されることを特徴とするゲームシステム。
【請求項７】
請求項１−６いずれかに記載のゲームシステムにおいて、前記仮想リーシュは、少なくとも部分的に、１又は複数のシステム装置から信号を発することにより確立されることを特徴とするゲームシステム。
【請求項８】
賭け金を受け入れ、該賭け金に基づいてゲームをプレーすると共に該ゲームの結果に基づいて金銭的な払出しを認可するよう構成されたゲーム機であって、
複数の内部ゲーム機構成要素を内部に収容するように構成される外側筐体と、
前記複数の内部ゲーム機構成要素の少なくとも１つと通信し、前記賭け金ベースのゲームの１又は複数の態様を実行又は制御するマスタゲームコントローラと、
外部のハンドヘルド個人ゲーム装置とインタフェースするよう構成されたドッキングステーションであって、前記個人ゲーム装置は、ゲーム関連情報を表示するようになっているディスプレイ、ゲーム関連コードを実行するように構成されたプロセッサ、及び該プロセッサが実行するコンピュータコードの少なくとも１つのダウンロードコマンドを記憶するメモリを備え、前記コンピュータコードの少なくとも１つのダウンロードコマンドは、前記個人ゲーム装置が、前記賭け金ベースのゲームの所定のゲーム結果に関するデータを有するゲームシードに基づいて、独立して前記賭け金ベースのゲームのプレーを処理すると共に前記ディスプレイに表示するのに十分なコードを含む、ドッキングステーションと、
を備えることを特徴とするゲーム機。
【請求項９】
請求項８記載のゲーム機において、前記ゲームシードは、前記ドッキングステーションを介して前記個人ゲーム装置に送信されることを特徴とするゲーム機。
【請求項１０】
請求項８又は９記載のゲーム機において、前記ゲームシードは、前記ドッキングステーションから、前記ゲームシードを記憶するポータブルメモリ装置に送信され、該ポータブルメモリ装置は、前記個人ゲーム装置から着脱可能であり、前記ゲームシードは、前記ポータブルメモリ装置から前記個人ゲーム装置に送信されることを特徴とするゲーム機。
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
個体における２型糖尿病への感受性を診断する方法であって、ＴＣＦ７Ｌ２のエクソン４ＬＤブロック内においてか、マーカーｒｓ４０７４７２０とｒｓ７０８７００６の間においてか、若しくは０．２より大きなｒ２により特徴付けられるＴＣＦ７Ｌ２のエクソン４ＬＤブロックとの強い連鎖不平衡において、マーカー又はハプロタイプについて該個体から得られた核酸サンプルを分析することを含み、該マーカー又はハプロタイプの存在が２型糖尿病への感受性を示す、該方法。
【請求項２】
該マーカー又はハプロタイプが、表６に記載されたマーカーから選択される少なくとも一つのマーカーを含むか、又は０．２より大きなｒ２により特徴付けられる表６に記載された少なくとも一つのマーカーと強い連鎖不平衡にある少なくとも一つのマーカーを含む、請求項１に記載の方法。
【請求項３】
該マーカー又はハプロタイプが、表６に記載されたマーカーから選択される少なくとも一つのマーカーを含む、請求項２に記載の方法。
【請求項４】
該マーカー又はハプロタイプがマーカーである、請求項１〜３のいずれか一項に記載の方法。
【請求項５】
該マーカー又はハプロタイプが、２型糖尿病の増加した感受性を示す、請求項１〜４のいずれか一項に記載の方法。
【請求項６】
該増加した感受性が、少なくとも１．３の相対リスク及び少なくとも１．４の相対リスクを含む、少なくとも１．２の相対リスクにより特徴付けられる、請求項５に記載の方法。
【請求項７】
該マーカー又はハプロタイプが、２型糖尿病の減少した感受性示す、請求項１〜４のいずれか一項に記載の方法。
【請求項８】
該減少した感受性が、０．７未満の相対リスクを含む、０．８未満の相対リスクにより特徴付けられる、請求項６に記載の方法。
【請求項９】
該マーカーが、ＤＧ１０Ｓ４７８、ｒｓ１２２５５３７２、ｒｓ７８９５３４０、ｒｓｌ１１９６２０５、ｒｓ７９０１６９５、ｒｓ７９０３１４６、ｒｓｌ２２４３３２６及びｒｓ４５０６５６５から成る群より選択され、及びＤＧ１０Ｓ４７８中の非０アレル、ｒｓｌ２２５５３７２中のＴアレル；ｒｓ７８９５３４０中のＡアレル；ｒｓｌ１１９６２０５中のＣアレル；ｒｓ７９０１６９５中のＣアレル；ｒｓ７９０３１４６中のＴアレル；ｒｓ１２２４３３２６中のＣアレル；又はｒｓ４５０６５６５中のＴアレルの存在が、２型糖尿病への増加した感受性を示す、請求項４〜６のいずれか一項に記載の方法。
【請求項１０】
該マーカーがｒｓ７９０３１４６であり、及びｒｓ７９０３１４６中のＴアレルの存在が２型糖尿病への増加した感受性を示す、請求項９に記載の方法。
【請求項１１】
該マーカーが、ＤＧ１０Ｓ４７８、ｒｓ１２２５５３７２、ｒｓ７８９５３４０、ｒｓｌ１１９６２０５、ｒｓ７９０１６９５、ｒｓ７９０３１４６、ｒｓ１２２４３３２６及びｒｓ４５０６５６５から成る群より選択され、及びＤＧ１０Ｓ４７８０中の０アレル、ＳＮＰ  ｒｓｌ２２５５３７２中のＧアレル；ｒｓ７８９５３４０中のＧアレル；ｒｓｌ１１９６２０５中のＧアレル；ｒｓ７９０１６９５中のＴアレル；ｒｓ７９０３１４６中のＣアレル；ｒｓｌ２２４３３２６中のＴアレル；又はｒｓ４５０６５６５中のＡアレルの存在が２型糖尿病への減少した感受性を示す、請求項４、７、又は８に記載の方法。
【請求項１２】
該マーカーがｒｓ７９０３１４６であり、及びｒｓ７９０３１４６中のＣアレルの存在が２型糖尿病への減少した感受性を示す、請求項１１に記載の方法。
【請求項１３】
２型糖尿病への感受性を検出するために、個体からのサンプルをアッセイするキットであって、ＴＣＦ７Ｌ２のエクソン４ＬＤブロック内においてか、マーカーｒｓ４０７４７２０とｒｓ７０８７００６の間においてか、若しくは０．２より大きなｒ２により特徴付けられるＴＣＦ７Ｌ２のエクソン４ＬＤブロックとの強い連鎖不平衡において、一つ又はそれより多くのマーカーを検出するための、一つ又はそれより多くの試薬を含むキット。
【請求項１４】
該マーカー又はハプロタイプが、表６に記載されたマーカーから選択される少なくとも一つのマーカーを含む、請求項１３に記載のキット。
【請求項１５】
該一つ又はそれより多くのマーカーが、ＤＧ１０Ｓ４７８、ｒｓ１２２５５３７２、ｒｓ７８９５３４０、ｒｓｌ１１９６２０５、ｒｓ７９０１６９５、ｒｓ７９０３１４６、ｒｓｌ２２４３３２６及びｒｓ４５０６５６５から成る群より選択される、請求項１４に記載のキット。
【請求項１６】
該一つ又はそれより多くのマーカーが、マーカーｒｓ７９０３１４６である、請求項１２〜１５のいずれか一項に記載のキット。
【請求項１７】
該マーカーがｒｓ７９０３１４６中のＣアレルである、請求項１６に記載のキット。
【請求項１８】
該一つ又はそれより多くの試薬が、一つ又はそれより多いマーカーを含む領域と完全に相補的である少なくとも一つの連続したヌクレオチド配列を含む、請求項１３〜１７のいずれか一項に記載のキット。
【請求項１９】
ＴＣＦ７Ｌ２療法剤への応答の可能性について個体を評価する方法であって、ＴＣＦ７Ｌ２のエクソン４ＬＤブロック内においてか、マーカーｒｓ４０７４７２０とｒｓ７０８７００６の間においてか、若しくは０．２より大きなｒ２により特徴付けられるＴＣＦ７Ｌ２のエクソン４ＬＤブロックとの強い連鎖不平衡において、マーカーを、該個体から得られた核酸サンプルにおいて検出することを含み、該マーカーの存在がＴＣＦ７Ｌ２療法剤への陽性応答の可能性を示す、該方法。
【請求項２０】
該マーカーが、ＤＧ１０Ｓ４７８、ｒｓ１２２５５３７２、ｒｓ７８９５３４０、ｒｓ１１１９６２０５、ｒｓ７９０１６９５、ｒｓ７９０３１４６、ｒｓ１２２４３３２６、及びｒｓ４５０６５６５から成る群より選択される、請求項１９に記載の方法。
【請求項２１】
該マーカーがマーカーｒｓ７９０３１４６であり、及びｒｓ７９０３１４６中のＴアレルの存在がＴＣＦ７Ｌ２療法剤への陽性応答の可能性を示す、請求項２０に記載の方法。
【請求項２２】
該ＴＣＦ７Ｌ２療法剤が、剤表に示した群から選択される剤である、請求項１９〜２１のいずれか一項に記載の方法。
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
運動学的動作及び身体モデルに応じた筋肉変形を伴ってキャラクターを動かす方法であって、
前記運動学的動作及び前記身体モデルから推定される、模擬荷重を含む関節トルクの第一のセットを推定するステップと、
前記模擬荷重に応じて外部荷重を決定するステップと、
荷重が付与された身体モデルを生成するために、前記外部荷重を前記身体モデルに付与するステップと、
前記運動学的動作を変更せずに、前記運動学的動作及び前記荷重が付与された身体モデルから推定された関節トルクの第二のセットを推定するステップと、
前記推定された関節トルクの第二のセットから筋肉活性化を決定するステップと、
前記筋肉活性化に応じた筋肉変形を伴って前記キャラクターを動かすステップと、
を含むことを特徴とする方法。
【請求項２】
前記身体モデルは、複数の関節を備え、
前記運動学的動作は、前記複数の関節の少なくとも一つの位置を記述する関節角度のセットと、前記複数の関節の少なくとも一つの位置の導関数を記述する関節角度導関数のセットと、を備える
ことを特徴とする請求項１に記載の方法。
【請求項３】
動作を捕獲することによって、前記運動学的動作を決定するステップと、
前記運動学的動作をフィルタリングするステップと、
複数のキーフレームから前記運動学的動作を決定するステップと、
プロシージャアニメーションを用いて前記運動学的動作を決定するステップと、
をさらに含むことを特徴とする請求項１に記載の方法。
【請求項４】
前記運動学的動作は、動作ライブラリから取得される
ことを特徴とする請求項１に記載の方法。
【請求項５】
前記外部荷重を決定するステップは、前記模擬荷重に基づいて床反荷重を推定するステップを含む
ことを特徴とする請求項１に記載の方法。
【請求項６】
前記床反荷重を推定するステップは、
前記床反荷重の正味圧力中心を決定するステップと、
前記正味圧力中心での前記床反荷重のトルクを決定するステップと、
前記正味圧力中心での前記床反荷重の力を決定するステップと、
前記床反荷重の力を、前記身体モデル上の一以上の個別圧力中心に分配するステップと、
を含むことを特徴とする請求項５に記載の方法。
【請求項７】
前記外部荷重を前記身体モデルに付与するステップは、分配された前記力を、前記身体モデル上の一以上の個別圧力中心に付与するステップを含む
ことを特徴とする請求項５に記載の方法。
【請求項８】
前記筋肉活性化は、最低限の活性化条件に従って決定される
ことを特徴とする請求項１に記載の方法。
【請求項９】
決定された前記筋肉活性化をフィルタリングするステップ
をさらに含むことを特徴とする請求項１に記載の方法。
【請求項１０】
運動学的動作及び身体モデルに応じた筋肉変形を伴ってキャラクターを動かすために、プロセッサによって実行可能な命令を格納するように構成されたコンピュータ読取可能な記録媒体であって、
前記プロセッサによって実行されることにより、
前記運動学的動作及び前記身体モデルから推定される、模擬荷重を含む関節トルクの第一のセットを推定し、
前記模擬荷重に応じて外部荷重を決定し、
前記外部荷重を前記身体モデルに付与することによって、荷重が付与された身体モデルを生成し、
前記運動学的動作を変更せずに、前記運動学的動作及び前記荷重が付与された身体モデルから推定された関節トルクの第二のセットを推定し、
前記推定された関節トルクの第二のセットから筋肉活性化を決定し、
前記筋肉活性化に応じた筋肉変形を伴って前記キャラクターを動かす、
ことを特徴とするコンピュータ読取可能な記録媒体。
【請求項１１】
運動学的動作及び身体モデルに応じた筋肉変形を伴ってキャラクターを動かすシステムであって、
前記運動学的動作及び前記身体モデルから推定される、模擬荷重を含む関節トルクの第一のセットを推定する手段と、
前記模擬荷重に応じて外部荷重を決定する手段と、
荷重が付与された身体モデルを生成するために、前記外部荷重を前記身体モデルに付与する手段と、
前記運動学的動作を変更せずに、前記運動学的動作及び前記荷重が付与された身体モデルから、推定された関節トルクの第二のセットを推定する手段と、
前記推定された関節トルクの第二のセットから筋肉活性化を決定する手段と、
前記筋肉活性化に応じた筋肉変形を伴って前記キャラクターを動かす手段と、
を備えることを特徴とするシステム。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
頭部のＩＰＧおよびＰＰＧ信号を解析することによって脳血流を推定する方法であって、
ａ）心周期の少なくとも一部分内でＩＰＧ信号の最大傾きまたは負の最大傾きを求めるステップ；
ｂ）心周期の少なくとも一部分内でＰＰＧ信号の最大傾きまたは負の最大傾きを求めるステップ；
ｃ）ＰＰＧ信号の最大傾きまたは負の最大傾きに対するＩＰＧ信号の最大傾きまたは負の最大傾きの比を求めるステップ；および
ｄ）比から脳血流指標を計算するステップ
を含む方法。
【請求項２】
最大傾きまたは負の最大傾きを求めるステップは、ＩＰＧおよびＰＰＧ信号両方の最大傾きを求めることを含み、比を求めるステップは、最大傾きの比を求めることを含む請求項１に記載の方法。
【請求項３】
最大傾きは心周期の立ち上がり部分内の最大値である請求項２に記載の方法。
【請求項４】
最大傾きまたは負の最大傾きを求めるステップは、ＩＰＧおよびＰＰＧ信号両方の負の最大傾きを求めることを含み、比を求めるステップは、負の最大傾きの比を求めることを含む請求項１に記載の方法。
【請求項５】
負の最大傾きは心周期の立ち下がり部分内の負の最大値である請求項４に記載の方法。
【請求項６】
信号の少なくとも１つの最大傾きまたは負の最大傾きは、前記信号の振幅の尺度に正規化される請求項１〜５のいずれか１項に記載の方法。
【請求項７】
振幅の尺度は心周期全体の前記信号の尖頭間振幅である請求項６に記載の方法。
【請求項８】
振幅の尺度は心周期全体の前記信号の平均値である請求項６に記載の方法。
【請求項９】
ＰＰＧ信号は頭部の左側のＰＰＧセンサから来る請求項１〜８のいずれか１項に記載の方法。
【請求項１０】
ＰＰＧ信号は頭部の右側のＰＰＧセンサから来る請求項１〜８のいずれか１項に記載の方法。
【請求項１１】
ＰＰＧ信号は、頭部の左側のＰＰＧセンサおよび頭部の右側のＰＰＧセンサからの信号の平均である請求項１〜８のいずれか１項に記載の方法。
【請求項１２】
時間変動する脳血流を推定する方法であって、
ａ）頭部から得られた時間変動ＩＰＧ信号および時間変動ＰＰＧ信号を使用して、脳血流の時間変動指標を計算するステップと、
ｂ）ＩＰＧ信号、ＰＰＧ信号、および脳血流指標の１つまたはそれ以上にデータ処理を実行して、ノイズもしくはアーチファクトまたは両方を低減するステップと
を含む方法。
【請求項１３】
データ処理を実行するステップは、１つまたはそれ以上の廃棄基準を満たす心周期に対し、ＩＰＧ信号、ＰＰＧ信号、または両方のデータを廃棄するステップを含む請求項１２に記載の方法。
【請求項１４】
基準は、期待される範囲外の期間を有することを含む請求項１３に記載の方法。
【請求項１５】
期待される範囲は、心周期の平均期間の１．３倍から２倍の間の最大値を有する請求項１４に記載の方法。
【請求項１６】
基準は、その心周期と後続心周期との間に閾値未満の相互相関を有するＩＰＧ信号およびＰＰＧ信号の一方または両方を含む請求項１３〜１５のいずれか１項に記載の方法。
【請求項１７】
基準は、その心周期と先行心周期との間に閾値未満の相互相関を有するＩＰＧ信号およびＰＰＧ信号の一方または両方を含む請求項１３〜１５のいずれか１項に記載の方法。
【請求項１８】
閾値は＋０．５から＋０．８の間である請求項１６または１７に記載の方法。
【請求項１９】
データ処理を実行するステップは、ＩＰＧ信号、ＰＰＧ信号、または両方の呼吸アーチファクトを低減することを含む請求項１２〜１８のいずれかに記載の方法。
【請求項２０】
脳血流指標を計算するステップは、請求項１〜１１のいずれか１項に係る方法を使用することを含む請求項１２〜１９のいずれかに記載の方法。
【請求項２１】
データ処理を実行するステップは、脳血流指標を平滑化することを含む請求項１２〜２０のいずれか１項に記載の方法。
【請求項２２】
平滑化は時間間隔全体の平均を求めることを含む請求項２１に記載の方法。
【請求項２３】
平滑化は、時間の関数としての脳血流指標の挙動に応じて適応調整される時間スケールを用いることを含む請求項２１または２２に記載の方法。
【手続補正書】
【提出日】平成21年6月9日(2009.6.9)
【手続補正１】
【補正対象書類名】明細書
【補正対象項目名】００５０
【補正方法】変更
【補正の内容】
【００５０】
【図１ａ】本発明によるアプリケータの第１の実施形態を示す図である。
【図１ｂ】本発明によるアプリケータの第１の実施形態を示す図である。
【図１ｃ】本発明によるアプリケータの第１の実施形態を示す図である。
【図１ｄ】本発明によるアプリケータの第１の実施形態を示す図である。
【図１ｅ】本発明によるアプリケータの第１の実施形態を示す図である。
【図１ｆ】本発明によるアプリケータの第１の実施形態を示す図である。
【図２】本発明によるアプリケータの第２の実施形態の分解図である。
【図３ａ】本発明によるアプリケータの第２の実施形態を示す図である。
【図３ｂ】本発明によるアプリケータの第２の実施形態を示す図である。
【図３ｃ】本発明によるアプリケータの第２の実施形態を示す図である。
【図３ｄ】本発明によるアプリケータの第２の実施形態を示す図である。
【図３ｅ】本発明によるアプリケータの第２の実施形態を示す図である。
【図３ｆ】本発明によるアプリケータの第２の実施形態を示す図である。
【図４ａ】本発明のアプリケータの貯蔵部の詳細を示す図である。
【図４ｂ】本発明のアプリケータの貯蔵部の詳細を示す図である。
【図４ｃ】本発明のアプリケータの貯蔵部の詳細を示す図である。
【図４ｄ】本発明のアプリケータの貯蔵部の詳細を示す図である。
【図４ｅ】本発明のアプリケータの貯蔵部の詳細を示す図である。
【図５ａ】本発明のアプリケータの貯蔵部の反対側の詳細を示す図である。
【図５ｂ】本発明のアプリケータの貯蔵部の反対側の詳細を示す図である。
【図５ｃ】本発明のアプリケータの貯蔵部の反対側の詳細を示す図である。
【図５ｄ】本発明のアプリケータの貯蔵部の反対側の詳細を示す図である。
【図５ｅ】本発明のアプリケータの貯蔵部の反対側の詳細を示す図である。
【図５ｆ】本発明のアプリケータの貯蔵部の反対側の詳細を示す図である。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
以前の予歪値及び元の入力信号に応答して予歪フィルタのオペレーションを変更するステップと、
前記元の入力サンプルと予測スピーカー出力との間の予補償エラーを求めるステップと、
少なくとも一つの線形システムと非線形システムとのカスケード構成であるスピーカーモデルの完全インバースを使用することによって、前記予補償エラーを実質的に減少させるステップと、
を含む適応型予補償方法。
【請求項２】
前記モデルは、ｐ次更新ボルテラ・ウイナー・ハマースタイン（ＭＶＷＨ）モデルを構成する、請求項１に記載の方法。
【請求項３】
前記モデルは、線形システムとボルテラシステムとのカスケード構成を含む、請求項１に記載の方法。
【請求項４】
前記モデルは、線形システム、非線形システム、及び線形システムのカスケード構成を含む、請求項１に記載の方法。
【請求項５】
前記モデルは、
第１の出力を有する第１の線形フィルタと、
前記第１の出力を受け取り、該第１の出力に応答して第２の出力を発生するためのボルテラモデルと、
前記第２の出力を受け取り、前記モデルの出力である第３の出力を発生するための第２の線形フィルタと、
のカスケード構成を含む、請求項１に記載の方法。
【請求項６】
前記第１のフィルタ及び第２のフィルタ、並びに、前記ボルテラモデルのためのパラメータを算出するステップを更に含む、請求項５に記載の方法。
【請求項７】
前記第１のフィルタ及び第２のフィルタ、並びに前記ボルテラモデルのためのパラメータを算出するステップは、
前記ボルテラモデルを前記スピーカーに適合させるステップと、
前記ボルテラモデルに関連するボルテラカーネルを特定するステップと、
前記第１のフィルタ及び第２のフィルタのカスケード構成が各カーネルについて前記ボルテラモデルの線形部に等しいような前記第１のフィルタ及び第２のフィルタを特定するステップと、
を含む請求項６に記載の方法。
【請求項８】
前記第１のフィルタ及び第２のフィルタ、並びに前記ボルテラモデルのためのパラメータを算出するステップは、勾配降下アルゴリズムを使用して、前記第１のフィルタ及び第２のフィルタ、並びに前記ボルテラモデルのためのパラメータを共に決定するステップを含む、請求項６に記載の方法。
【請求項９】
前記予補償エラーを実質的に減少させるステップは、
前記完全インバースを表す多項式の係数を算出するステップと、
前記多項式の実根を求めることにより予歪信号を算出するステップと、
を含む請求項１に記載の方法。
【請求項１０】
前記予補償エラーを実質的に減少させるステップは、
次の係数計算のために前記根をスケーリングして記憶するステップと、
前記予歪信号を前記スピーカーへ供給する前に前記予歪信号を再スケーリングするステップと、
を更に含む請求項９に記載の方法。
【請求項１１】
前記予補償エラーは、前記元の入力信号と予測スピーカー出力との間の差を表す、請求項１に記載の方法。
【請求項１２】
スピーカーと、
予補償信号をアナログ信号へ変換し、該アナログ信号を前記スピーカーへ送るためのデジタル−アナログ（Ｄ／Ａ）変換器と、
前記予補償信号を発生するための予補償器であって、スピーカーの応答を特徴付け且つ前記スピーカーの線形歪み及び非線形歪みを補償するよう、少なくとも一つの線形システムと非線形システムとのカスケード構成であるスピーカーモデルの完全インバースを使用する予歪フィルタを有する該予補償器と、
を備える装置。
【請求項１３】
前記モデルは、ｐ次更新ボルテラ・ウイナー・ハマースタイン（ＭＶＷＨ）モデルを構成する、請求項１２に記載の装置。
【請求項１４】
前記モデルは、ボルテラシステムと線形システムとのカスケード構成を含む、請求項１２に記載の装置。
【請求項１５】
前記モデルは、線形システム、非線形システム、及び線形システムのカスケード構成を含む、請求項１２に記載の装置。
【請求項１６】
前記モデルは、
第１の出力を有する第１の線形フィルタと、
前記第１の出力を受け取り、該第１の出力に応答して第２の出力を発生するためのボルテラモデルと、
前記第２の出力を受け取り、前記モデルの出力である第３の出力を発生するための第２の線形フィルタと、
のカスケード構成を含む、請求項１２に記載の装置。
【請求項１７】
前記予歪フィルタのオペレーションは、以前の予歪値及び前記元の入力信号に応答して変更される、請求項１２に記載の装置。
【請求項１８】
前記予歪フィルタのパラメータは、前記入力オーディオ信号と前記スピーカーの予補償出力との間の差を減少させるように適応的に調整される、請求項１２に記載の装置。
【請求項１９】
前記インバースシステムは、安定な完全インバースである、請求項１２に記載の装置。
【請求項２０】
前記予補償器は、前記入力信号及び前記予補償器の以前の出力のスケーリング値を使用してインバース非線形オペレーションを実行するための完全インバースモジュールを含む、請求項１２に記載の装置。
【請求項２１】
前記完全インバースモジュールは、前記スピーカーモデルのインバースを計算する、請求項２０に記載の装置。
【請求項２２】
前記インバースモジュールは、
多項式の係数を算出するための多項式係数計算器と、
前記係数に応答して前記多項式の実根を発生するための多項式根ソルバと、
を有する、請求項２０に記載の装置。
【請求項２３】
前記多項式係数計算器は、入力信号のサンプル、前記スピーカーモデルのパラメータ、及び前記入力信号の以前の予歪サンプルを使用して前記係数を算出する、請求項２２に記載の装置。
【請求項２４】
前記インバースは、二次多項式によって与えられる、請求項２２に記載の装置。
【請求項２５】
前記根は、実根である、請求項２２に記載の装置。
【請求項２６】
前記多項式ルートソルバは、二次式ソルバを含む、請求項２２に記載の装置。
【請求項２７】
前記多項式根ソルバは、前記多項式の根を算出し、前記根の中の実根を選択する、請求項２２に記載の装置。
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
以下の（ａ）〜（ｆ）から選択されるポリヌクレオチド：
（ａ）配列番号：１に記載の塩基配列からなるポリヌクレオチドを含有するポリヌクレ
オチド；
（ｂ）配列番号：２に記載のアミノ酸配列からなるタンパク質をコードするポリヌクレ
オチドを含有するポリヌクレオチド；
（ｃ）配列番号：２に記載のアミノ酸配列において、１もしくは複数個のアミノ酸が欠
失、置換、挿入および／または付加したアミノ酸配列からなり、かつ硫酸イオントランス
ポーター活性を有するタンパク質をコードするポリヌクレオチドを含有するポリヌクレオ
チド；
（ｄ）配列番号：２のアミノ酸配列に対して60%以上の同一性を有するアミノ酸配列を
有し、かつ硫酸イオントランスポーター活性を有するタンパク質をコードするポリヌクレ
オチドを含有するポリヌクレオチド；
（ｅ）配列番号：１に記載の塩基配列と相補的な塩基配列からなるポリヌクレオチドと
ストリンジェントな条件下でハイブリダイズし、かつ硫酸イオントランスポーター活性を
有するタンパク質をコードするポリヌクレオチドを含有するポリヌクレオチド；及び
（ｆ）配列番号：２に記載のアミノ酸配列からなるタンパク質をコードするポリヌクレ
オチドの塩基配列と相補的な塩基配列からなるポリヌクレオチドとストリンジェントな条
件下でハイブリダイズし、かつ硫酸イオントランスポーター活性を有するタンパク質をコ
ードするポリヌクレオチドを含有するポリヌクレオチド。
【請求項２】
以下の(g)〜(i)から選択される請求項１に記載のポリヌクレオチド：
(g)配列番号：２のアミノ酸配列のアミノ酸配列において、1〜10個のアミノ酸が欠失、
置換、挿入および／または付加したアミノ酸配列からなり、かつ硫酸イオントランスポー
ター活性を有するタンパク質をコードするポリヌクレオチドを含有するポリヌクレオチド
；
(h) 配列番号：２のアミノ酸配列に対して90%以上の同一性を有するアミノ酸配列を有
し、かつ硫酸イオントランスポーター活性を有するタンパク質をコードするポリヌクレオ
チドを含有するポリヌクレオチド；及び
(i)配列番号：１の塩基配列からなるポリヌクレオチド、又は配列番号：１の塩基配列
と相補的な塩基配列からなるポリヌクレオチドとハイストリンジェントな条件下でハイブ
リダイズし、かつ硫酸イオントランスポーター活性を有するタンパク質をコードするポリ
ヌクレオチドを含有するポリヌクレオチド。
【請求項３】
配列番号：１に記載の塩基配列からなるポリヌクレオチドを含有する請求項１に記載の
ポリヌクレオチド。
【請求項４】
配列番号：２に記載のアミノ酸配列からなるタンパク質をコードするポリヌクレオチド
を含有する請求項１に記載のポリヌクレオチド。
【請求項５】
DNAである、請求項１に記載のポリヌクレオチド。
【請求項６】
以下の(j)〜(m)のいずれかに記載のポリヌクレオチド：
(j) 請求項５に記載のポリヌクレオチド（DNA）の転写産物に対して相補的な塩基配列
を有するRNAをコードするポリヌクレオチド；
(k) 請求項５に記載のポリヌクレオチド（DNA）の発現をRNAi効果により抑制するRNAを
コードするポリヌクレオチド；
(l) 請求項５に記載のポリヌクレオチド（DNA）の転写産物を特異的に切断する活性を
有するRNAをコードするポリヌクレオチド；及び
(m) 請求項５に記載のポリヌクレオチド（DNA）の発現を共抑制効果により抑制するRNA
をコードするポリヌクレオチド。
【請求項７】
請求項1〜５のいずれかに記載のポリヌクレオチドにコードされるタンパク質。
【請求項８】
請求項１〜５のいずれかに記載のポリヌクレオチドを含有するベクター。
【請求項９】
請求項６に記載のポリヌクレオチドを含有するベクター。
【請求項１０】
請求項８または９に記載のベクターが導入された酵母。
【請求項１１】
請求項８に記載のベクターを導入することによって、亜硫酸生成能が増強された請求項
１０に記載の酵母。
【請求項１２】
請求項８に記載のベクターを導入することによって、または、請求項５に記載のポリヌ
クレオチド（DNA）に係る遺伝子を破壊することによって、請求項５に記載のポリヌクレ
オチド（DNA）の発現が抑制された酵母。
【請求項１３】
請求項７に記載のタンパク質の発現量を増加させることによって亜硫酸生成能が向上し
た請求項１０に記載の酵母。
【請求項１４】
請求項１０〜１３のいずれかに記載の酵母を用いた酒類の製造方法。
【請求項１５】
醸造する酒類が麦芽飲料である請求項１４に記載の酒類の製造方法。
【請求項１６】
醸造する酒類がワインである請求項１４に記載の酒類の製造方法。
【請求項１７】
請求項１４〜１６のいずれかに記載の方法で製造された酒類。
【請求項１８】
配列番号：１の塩基配列を有する硫酸イオントランスポーター遺伝子の塩基配列に基づ
いて設計したプライマーまたはプローブを用いて、被検酵母の亜硫酸生成能について評価
する方法。
【請求項１９】
被検酵母を培養し、配列番号：１の塩基配列を有する硫酸イオントランスポーター遺伝
子の発現量を測定することによって、被検酵母の亜硫酸生成能を評価する方法。
【請求項２０】
被検酵母を培養し、請求項７に記載のタンパク質を定量または配列番号：１の塩基配列
を有する硫酸イオントランスポーター遺伝子の発現量を測定し、目的とする亜硫酸生成能
に応じた前記タンパク質の生成量または前記遺伝子の発現量の被検酵母を選択する、酵母
の選択方法。
【請求項２１】
基準酵母および被検酵母を培養して配列番号：1の塩基配列を有する硫酸イオントラン
スポーター遺伝子の各酵母における発現量を測定し、基準酵母よりも該遺伝子が高発現、
または低発現している被検酵母を選択する、請求項２０記載の酵母の選択方法。
【請求項２２】
基準酵母および被検酵母を培養して各酵母における請求項７に記載のタンパク質を定量
し、基準酵母よりも該タンパク質量の多い、または少ない被検酵母を選択する、請求項２
０に記載の酵母の選択方法。
【請求項２３】
請求項１０〜１３に記載の酵母および請求項２０〜２２に記載の方法により選択された
酵母のいずれかの酵母を用いて酒類製造のための発酵を行い、亜硫酸含有量を調節するこ
とを特徴とする、酒類の製造方法。
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
以下のことを含む、患者におけるＳＭＥＩ，ＳＭＥＢ，原因不明の部分性てんかん（ＣＰ）、徴候性全身性てんかん（ＳＧ）、徴候性部分性てんかん（ＳＰ）および未知の病因を有する脳炎後のてんかん（ＰＥ）からなる群から選択されるてんかんの亜症候群を診断する方法：
（１）患者から得られたサンプル中のＳＣＮ１Ａ遺伝子における変化を検出し；そして
（２）前記変化を表３に示される変化のいずれか１つと比較し、さらに、もし前記変化が表３に示される変化のいずれか１つと同一であれば、てんかん亜症候群の診断が、表３で規定される相関に従って行なわれる。
【請求項２】
ＤＮＡ配列決定が行なわれる請求項１に記載の方法。
【請求項３】
哺乳動物の電位依存性ナトリウムチャネルの変化したＳＣＮ１Ａサブユニットをコードする単離された核酸分子であって、前記変化はＳＭＥＩまたはＳＭＥＩに関係する症候群の表現型を生じさせ、前記核酸分子は表３に規定されるような変化を含む単離された核酸分子。
【請求項４】
前記核酸分子は配列番号１〜配列番号３３のいずれか１つに規定される配列を有する請求項３に記載の単離された核酸分子。
【請求項５】
配列番号１〜配列番号４１のいずれか１つに規定されるヌクレオチド配列を含む単離された核酸分子。
【請求項６】
配列番号１〜配列番号４１のいずれか１つに規定されるヌクレオチド配列からなる単離された核酸分子。
【請求項７】
請求項３〜６のいずれか一項に記載の核酸分子を含む細胞。
【請求項８】
配列番号４２〜配列番号７４のいずれかに１つに規定されるアミノ酸配列からなる単離されたポリペプチド。